(57)【要約】【課題】音声付動画像の撮影を行う際に、音声の録音を継続したまま、動画像のみに制限を加える。【解決手段】デジタルカメラ１は、被写体像を撮像して画像データを取得する撮像部１０、画像用アンプ１４、画像用Ａ／Ｄ変換部１５、および画像信号取得部１６と、音声データを取得する音声検出部２０、音声用アンプ２１、音声用A／D変換部２２、および音声信号処理部２３と、入力された画像データと入力された音声データとを関連付けて記録媒体３１へ記憶する記憶制御部３０と、デモ用画像の画像データを記憶するデモ画像記憶部４３と、制限モードスイッチ４１等からの入力に基づいて、画像信号処理部１６から記憶制御部３０へ入力する画像データを、デモ用画像の画像データと撮像部１０の画像信号に基づく画像データとの中から選択する選択部４０とを備える。【選択図】図１
2013207350.tif 000002
【特許請求の範囲】
【請求項１】
被写体像を撮像して動画データを取得する撮像手段と、
音声データを取得する音声データ取得手段と、
デモ用画像を記憶するデモ画像記憶手段と、
第１のモードと第２のモードとを択一的に選択する選択手段と、
前記選択手段によって前記第１のモードが選択された場合に、前記音声データ取得手段による音声データの取得と同時に前記撮像手段に前記動画データを取得させて当該音声データと前記動画データとを互いに関連付けて記憶媒体に記憶し、前記選択手段によって前記第２のモードが選択された場合に、前記音声データ取得手段によって取得された音声データと前記デモ画像記憶手段に記憶された前記デモ用画像とを互いに関連付けて前記記憶媒体に記憶する制御手段と、
を備えることを特徴とする動画撮影装置。
【請求項２】
請求項１に記載の動画撮影装置において、
前記撮像手段は、
前記選択手段が前記第２のモードを選択しているときも前記動画データを取得し続け、
前記選択手段により選択される前記第１のモードと前記第２のモードとが切り替わるときにも、動画データの取得を中断することなく継続し、
前記音声データ取得手段は、前記選択手段により選択される前記第１のモードと前記第２のモードとが切り替わるときにも、音声データの取得を中断することなく継続することを特徴とする動画撮影装置。
【請求項３】
請求項１または２に記載の動画撮影装置において、
前記デモ用画像は、デモ用静止画像またはデモ用動画像であることを特徴とする動画撮影装置。
【請求項４】
被写体像を撮像して第１の動画データを取得する撮像手段と、
音声データを取得する音声データ取得手段と、
前記撮像手段による前記第１の動画データから顔画像を検出してモザイク処理を施し、第２の動画データを作成するモザイク処理手段と、
第１のモードと第２のモードとを択一的に選択する選択手段と、
前記選択手段によって前記第１のモードが選択された場合に、前記音声データ取得手段による音声データの取得と同時に前記撮像手段に前記第１の動画データを取得させて当該音声データと当該第１の動画データとを互いに関連付けて記憶媒体に記憶し、前記選択手段によって前記第２のモードが選択された場合に、前記音声データ取得手段による音声データの取得と同時に前記撮像手段に前記第１の動画データを取得させて前記モザイク処理手段に当該第１の動画データに基づいて前記第２の動画データを作成させて当該音声データと当該第２の動画データとを互いに関連付けて前記記憶媒体に記憶する制御手段と、
を備えることを特徴とする動画撮影装置。
【請求項５】
被写体像を撮像して第１の動画データを取得する撮像手段と、
音声データを取得する音声データ取得手段と、
前記撮像手段による前記第１の動画データにマスキング用の画像データを合成して第２の動画データを作成する合成処理手段と、
第１のモードと第２のモードとを択一的に選択する選択手段と、
前記選択手段によって前記第１のモードが選択された場合に、前記音声データ取得手段による音声データの取得と同時に前記撮像手段に前記第１の動画データを取得させて当該音声データと当該第１の動画データとを互いに関連付けて記憶媒体に記憶し、前記選択手段によって前記第２のモードが選択された場合に、前記音声データ取得手段による音声データの取得と同時に前記撮像手段に前記第１の動画データを取得させて前記合成処理手段に当該第１の動画データに基づいて前記第２の動画データを作成させて当該音声データと当該第２の動画データとを互いに関連付けて前記記憶媒体に記憶する制御手段と、
を備えることを特徴とする動画撮影装置。
【請求項６】
請求項４または５に記載の動画撮影装置において、
前記撮像手段は、前記選択手段により選択される前記第１のモードと前記第２のモードとが切り替わるときにも、動画データの取得を中断することなく継続し、
前記音声データ取得手段は、前記選択手段により選択される前記第１のモードと前記第２のモードとが切り替わるときにも、音声データの取得を中断することなく継続することを特徴とする動画撮影装置。
【請求項７】
被写体像を撮像して動画データを取得する撮像手段と、
音声データを取得する音声データ取得手段と、
前記撮像手段の撮像条件を変更して、撮像画面全体で一様な明るさの動画像を前記動画データとして前記撮像手段に取得させる撮像条件変更手段と、
第１のモードと第２のモードとを択一的に選択する選択手段と、
前記選択手段によって前記第１のモードが選択された場合に、前記音声データ取得手段による音声データの取得と同時に前記撮像手段に前記動画データを取得させて当該音声データと当該動画データとを互いに関連付けて記憶媒体に記憶し、前記選択手段によって前記第２のモードが選択された場合に、前記撮像条件変更手段に前記撮像手段の撮像条件を変更させて、前記音声データ取得手段による音声データの取得と同時に前記撮像手段に前記一様明るさの動画像を取得させて当該音声データと当該一様明るさの動画像とを互いに関連付けて前記記憶媒体に記憶する制御手段と、
を備えることを特徴とする動画撮影装置。
【発明の詳細な説明】
【技術分野】
【０００１】
本発明は動画撮影装置に関する。
【背景技術】
【０００２】
動画像の撮影記録時にマイクロホンで検出した音声を画像に対応させて、音声付動画像を撮影できる動画撮影装置が知られている（例えば、特許文献１）。
【先行技術文献】
【特許文献】
【０００３】
【特許文献１】特開平７−１５４７３４号公報
【発明の概要】
【発明が解決しようとする課題】
【０００４】
しかし、従来の動画撮影装置では、音声付動画像の撮影を行う際に、音声の録音を継続したまま、動画像のみに制限を加えることが困難であった。
【課題を解決するための手段】
【０００５】
本発明の第１の態様による動画撮影装置は、被写体像を撮像して動画データを取得する撮像手段と、音声データを取得する音声データ取得手段と、デモ用画像を記憶するデモ画像記憶手段と、第１のモードと第２のモードとを択一的に選択する選択手段と、選択手段によって第１のモードが選択された場合に、音声データ取得手段による音声データの取得と同時に撮像手段に動画データを取得させて当該音声データと動画データとを互いに関連付けて記憶媒体に記憶し、選択手段によって第２のモードが選択された場合に、音声データ取得手段によって取得された音声データとデモ画像記憶手段に記憶されたデモ用画像とを互いに関連付けて記憶媒体に記憶する制御手段と、を備えることを特徴とする。
【０００６】
本発明の第２の態様による動画撮影装置は、被写体像を撮像して第１の動画データを取得する撮像手段と、音声データを取得する音声データ取得手段と、撮像手段による第１の動画データから顔画像を検出してモザイク処理を施し、第２の動画データを作成するモザイク処理手段と、第１のモードと第２のモードとを択一的に選択する選択手段と、選択手段によって第１のモードが選択された場合に、音声データ取得手段による音声データの取得と同時に撮像手段に第１の動画データを取得させて当該音声データと当該第１の動画データとを互いに関連付けて記憶媒体に記憶し、選択手段によって第２のモードが選択された場合に、音声データ取得手段による音声データの取得と同時に撮像手段に第１の動画データを取得させてモザイク処理手段に当該第１の動画データに基づいて第２の動画データを作成させて当該音声データと当該第２の動画データとを互いに関連付けて記憶媒体に記憶する制御手段と、を備えることを特徴とする。
【０００７】
本発明の第３の態様による動画撮影装置は、被写体像を撮像して第１の動画データを取得する撮像手段と、音声データを取得する音声データ取得手段と、撮像手段による第１の動画データにマスキング用の画像データを合成して第２の動画データを作成する合成処理手段と、第１のモードと第２のモードとを択一的に選択する選択手段と、選択手段によって第１のモードが選択された場合に、音声データ取得手段による音声データの取得と同時に撮像手段に第１の動画データを取得させて当該音声データと当該第１の動画データとを互いに関連付けて記憶媒体に記憶し、選択手段によって第２のモードが選択された場合に、音声データ取得手段による音声データの取得と同時に撮像手段に第１の動画データを取得させて合成処理手段に当該第１の動画データに基づいて第２の動画データを作成させて当該音声データと当該第２の動画データとを互いに関連付けて記憶媒体に記憶する制御手段と、を備えることを特徴とする。
【０００８】
本発明の第４の態様による動画撮影装置は、被写体像を撮像して動画データを取得する撮像手段と、音声データを取得する音声データ取得手段と、撮像手段の撮像条件を変更して、撮像画面全体で一様な明るさの動画像を動画データとして撮像手段に取得させる撮像条件変更手段と、第１のモードと第２のモードとを択一的に選択する選択手段と、選択手段によって第１のモードが選択された場合に、音声データ取得手段による音声データの取得と同時に撮像手段に動画データを取得させて当該音声データと当該動画データとを互いに関連付けて記憶媒体に記憶し、選択手段によって第２のモードが選択された場合に、撮像条件変更手段に撮像手段の撮像条件を変更させて、音声データ取得手段による音声データの取得と同時に撮像手段に一様明るさの動画像を取得させて当該音声データと当該一様明るさの動画像とを互いに関連付けて記憶媒体に記憶する制御手段と、を備えることを特徴とする。
【発明の効果】
【０００９】
本発明によれば、音声付動画像の撮影を行う際に、音声の録音を継続したまま、動画像のみに制限を加えることができる。
【図面の簡単な説明】
【００１０】
【図１】本発明の第１の実施の形態によるカメラのブロック図の一例である。
【図２】音声付動画データの記録について説明するための図である。
【図３】本発明の第１の実施の形態によるカメラで実行される、音声付動画データに用いる画像データの切り替え制御に関するフローチャートである。
【図４】本発明の第２の実施の形態によるカメラのブロック図の一例である。
【図５】本発明の第３の実施の形態によるカメラのブロック図の一例である。
【図６】本発明の第４の実施の形態によるカメラのブロック図の一例である。
【発明を実施するための形態】
【００１１】
―第１の実施の形態―
本発明の第１の実施の形態による動画撮影装置について図を用いて説明する。図１は、第１の実施の形態による動画撮影装置に関するブロック図である。図１に例示する動画撮影装置は、デジタルカメラであって、音声付動画を記録することができる。
【００１２】
デジタルカメラ１は、撮像部１０と画像用アンプ１４と画像用Ａ／Ｄ変換部１５とを画像信号処理部１６とを備える。撮像部１０は、撮影レンズ１１と絞り１２と撮像素子１３とを有する。撮像素子１３の撮像面上には撮影レンズ１１による被写体像が結像している。撮像面上の被写体像の明るさは、撮影レンズ１１と撮像素子１３との間に設けられた絞り１２により調整される。
【００１３】
撮像素子１３は、撮像面上に結像された被写体像の明るさに応じた光電変換信号（画像信号）をフレームごとに出力する。撮像素子１３から出力される画像信号は、画像用アンプ１４により相関二重サンプリング（ＣＤＳ）処理や、Ｒ，Ｇ，Ｂの各色信号に色分離処理されて、各色信号の信号レベルの調整（プリホワイトバランス処理）が行われる。画像用アンプ１４から出力された色情報は、画像用Ａ／Ｄ変換部１５によりＲ，Ｇ，Ｂのデジタル画像に変換された後、画像信号処理部１６に入力される。
【００１４】
画像信号処理部１６に入力されたＲ，Ｇ，Ｂのデジタル信号は、輝度信号および色差信号に変換されると共に、ガンマ補正等の所定の画像処理が施される。デジタルカメラ１は、画像処理後のデジタル信号を用いて、被写体像に関する所定の記録形式の画像データ（たとえば、Ｈ．２６４圧縮方式で圧縮された画像データ）を生成することができる。
【００１５】
また、デジタルカメラ１は、音声検出部２０と音声用アンプ２１と音声用Ａ／Ｄ変換部２２と音声信号処理部２３とを備える。音声検出部２０は、マイクロホン等であり、音声を検出して電気信号（音声信号）に変換する。音声信号は、音声用アンプ２１により増幅された後に音声用Ａ／Ｄ変換部２２によりデジタル信号に変換されて、音声信号処理部２３に入力される。音声信号処理部２３は、デジタル信号に変換された音声信号を、所定の記録形式の音声データ（たとえば、ＡＡＣ方式で圧縮された音声データ）に圧縮する。
【００１６】
また、デジタルカメラ１は、記憶制御部３０と記録媒体３１とを備える。記憶制御部３０には、画像信号処理部１６から画像データが入力され、音声信号処理部２３から音声データが入力される。記憶制御部３０は、入力された音声データを入力された画像データに対応付けて、音声付動画データとして記録媒体３１に記録する。
【００１７】
さらに、デジタルカメラ１は、選択部４０と制限モードスイッチ４１とカメラ姿勢検出部４２とデモ画像記憶部４３とを備える。選択部４０は、ＣＰＵ等を有し、制限モードスイッチ４１とカメラ姿勢検出部４２からの入力に基づいて、画像信号処理部１６から記憶制御部３０に入力される画像データを、画像信号処理部１６が生成した画像データとデモ用画像の画像データとの間で選択する。
【００１８】
制限モードスイッチ４１は、画像信号処理部１６から記憶制御部３０に入力される画像データを制御する処理の開始や終了をユーザが指示するためのスイッチである。カメラ姿勢検出部４２は、デジタルカメラ１の姿勢を検出する。デジタルカメラ１の姿勢とはたとえば水平面に対するデジタルカメラ１の光軸方向の傾きであって、カメラ姿勢検出部４２はジャイロセンサ等によりこの傾きを検出する。
【００１９】
デモ画像記憶部４３は、不揮発性の記録媒体であって、デモ画像の画像データを記憶している。デモ画像は、静止画像または動画像であって、撮影者などのユーザが過去に撮影した画像や、予め記憶された所定の画像などが含まれる。デモ画像の画像データは、画像信号処理部１６から記憶制御部３０へ入力する画像データとしても利用できる。記憶制御部３０は、音声信号処理部２３から入力された音声データを、デモ画像の画像データに対応付けて、音声付動画データとして記録媒体３１に記録することができる。
【００２０】
撮影者は、音声の録音のみを行いたいとき、制限モードスイッチ４１を操作するか、デジタルカメラ１の姿勢を所定のカメラ姿勢（撮影レンズ１１を鉛直方向下に向けるなど）に変更する。たとえば、インタビューを行うときに回答者により顔の撮影が許可されていない状況などに制限モードスイッチ４１の操作やデジタルカメラ１の姿勢変更などを行う。選択部４０は、制限モードスイッチ４１の操作等が行われた場合に、記憶制御部３０へ入力する画像データとしてデモ画像の画像データを選択する。これにより、たとえば撮影が許可されていない回答者の顔画像を音声付動画データに記録せず、回答者の音声を音声付動画データに記録することができる。
【００２１】
図２は、音声付動画データの記録について説明するための図である。デジタルカメラ１は、時間Ｔ０に音声付動画データの記録を開始している。時間Ｔ０以降、音声検出部２０が音声を検出すると同時に撮像部１０が被写体像を撮像する。記憶制御部３０には、画像信号処理部１６から被写体像の画像データが入力され、音声信号処理部２３から音声検出部２０が検出した音声の音声データが入力される。このように、画像信号処理部１６から被写体像の画像データが入力されているときのデジタルカメラの状態を第１モードと称する。
【００２２】
時間Ｔ０よりも後の時間Ｔ１に、撮影者が制限モードスイッチ４１の操作等を行うと、選択部４０の制御により、画像信号処理部１６から記憶制御部３０に入力される画像データが被写体像からデモ画像に切り替わる。このように、画像信号処理部１６から被写体像の画像データ以外の画像データが入力されているときのデジタルカメラの状態を第２モードと称する。音声検出部２０は、時間Ｔ１の前後で中断することなく音声を検出している。音声信号処理部２３も、時間Ｔ１の前後で中断することなく音声データを記憶制御部３０に入力している。
【００２３】
時間Ｔ１よりも後の時間Ｔ２に、撮影者が再び制限モードスイッチ４１の操作等を行うと、選択部４０の制御により、画像信号処理部１６から記憶制御部３０に入力される画像データがデモ画像から被写体像に切り替わる。音声検出部２０は、時間Ｔ２の前後で中断することなく音声を検出している。音声信号処理部２３も、時間Ｔ２の前後で中断することなく音声データを記憶制御部３０に入力している。
【００２４】
なお、撮像部１０による被写体像の撮像は、時間Ｔ１および時間Ｔ２の前後で中断することなく継続している。時間Ｔ１から時間Ｔ２の間の期間に撮像部１０が撮像した被写体像の画像データは、記憶制御部３０には入力されないが、焦点検出処理などに利用される。
【００２５】
デジタルカメラは、デジタルカメラの状態が第１モードにあるか第２モードにあるかを、撮影者やその周囲に報知するための報知手段を有していてもよい。報知手段は、たとえばデジタルカメラ本体に設けられた表示灯（ＬＥＤ等）、背面モニタ、電子ビューファインダなどである。前述の顔の撮影を許可しなかった回答者の例では、デジタルカメラの状態が第２モードとなったときにデジタルカメラの所定の表示灯が点灯することで、回答者に顔の撮影が確かに行われていないことを報知することができる。また、電子ビューファインダのビュー画面内に所定の画像等が表示されることにより、撮影者にデジタルカメラの状態が第２モードに移行したことを報知することができる。これにより、撮影者が意図していないタイミングで第２モードとなったときに撮影者に報知することができる。なお、報知手段は、音声の録音を阻害しないような方法であることが好ましい。
【００２６】
図３は、選択部４０の動作に関するフローチャートである。図３の動作は、デジタルカメラ１が音声付動画データの記録を開始したときに開始される。図３の動作は、デジタルカメラ１が音声付動画データの記録を終了したときに終了する。
【００２７】
ステップＳ１００では、選択部４０は、画像信号処理部１６から記憶制御部３０に入力される画像データを、被写体像の画像データに切り替える（第１モード）。
【００２８】
ステップＳ１０１では、選択部４０は、制限モードスイッチ４１が操作されたか否かを判定する。選択部４０は、ステップＳ１０１が肯定判定されるとステップＳ１０２に進み、ステップＳ１０１が否定判定されるとステップＳ１０４に進む。
【００２９】
ステップＳ１０２では、選択部４０は、画像信号処理部１６から記憶制御部３０に入力される画像データを、被写体像の画像データからデモ画像の画像データに切り替える（第２モード）。
【００３０】
ステップＳ１０３では、選択部４０は、制限モードスイッチ４１が再び操作されたか否かを判定する。選択部４０は、制限モードスイッチ４１が再び操作されるまでステップＳ１０３に留まり、制限モードスイッチ４１が再び操作されるとステップＳ１００に進む。
【００３１】
ステップＳ１０４では、選択部４０は、カメラ姿勢検出部４２によって検出されたデジタルカメラ１の姿勢が所定の姿勢か否かを判定する。選択部４０は、ステップＳ１０４が肯定判定されるとステップＳ１０５に進み、ステップＳ１０４が否定判定されるとステップＳ１００に進む。
【００３２】
ステップＳ１０５では、選択部４０は、ステップＳ１０２と同様の処理を行う。すなわち、選択部４０は、画像信号処理部１６から記憶制御部３０に入力される画像データを、被写体像の画像データからデモ画像の画像データに切り替える（第２モード）。
【００３３】
ステップＳ１０６では、選択部４０は、カメラ姿勢検出部４２によって検出されたデジタルカメラ１の姿勢が所定の姿勢のままか否かを判定する。ステップＳ１０６では、選択部４０は、カメラ姿勢検出部４２によって検出されたデジタルカメラ１の姿勢が所定の姿勢でなくなるまでステップＳ１０６に留まり、デジタルカメラ１の姿勢が所定の姿勢でなくなったときステップＳ１００に進む。
【００３４】
―第２の実施の形態―
本発明の第２の実施の形態による動画撮影装置について図を用いて説明する。図４は、第２の実施の形態による動画撮影装置に関するブロック図である。図４に例示する動画撮影装置は、デジタルカメラであって、音声付動画を記録することができる。図４の第２の実施の形態のデジタルカメラ２の構成のうち、第１の実施の形態と同様の構成についてはその説明を省略する。
【００３５】
第２の実施の形態のデジタルカメラ２は、選択部４０の代わりに第２選択部５０を備える。第２選択部５０は、ＣＰＵ等を有し、制限モードスイッチ４１とカメラ姿勢検出部４２からの入力に基づいて、記憶制御部３０に入力する画像データの選択を行う。第２選択部５０は、第２モードのときの動作が選択部４０と異なる。すなわち、図３のステップＳ１０２およびステップＳ１０５に対応する動作が選択部４０と異なる。
【００３６】
第２の実施の形態のデジタルカメラ２は、デモ画像記憶部４３の代わりに、顔画像検出部５１とモザイク処理部５２とを備える。第２選択部５０は、制限モードスイッチ４１が操作されたときまたはカメラ姿勢検出部４２により所定のカメラ姿勢が検出されたとき、画像信号処理部１６に入力されたＲ，Ｇ，Ｂのデジタル信号を取得する。そして、第２選択部５０は、顔画像検出部５１を制御して、Ｒ，Ｇ，Ｂのデジタル信号により表される被写体像の中から人間等の顔を検出させる。第２選択部５０は、顔画像検出部５１により検出された顔画像に対してモザイク処理部５２によりモザイク処理を施す。第２選択部５０は、第２モードのとき、このモザイク処理後の画像データを、記憶制御部３０へ入力させる。
【００３７】
第２の実施の形態でも、第１モードと第２モードとが切り替わる前後で、被写体像の撮像や、記憶制御部３０への画像データおよび音声データの入力は中断することなく継続する。
【００３８】
―第３の実施の形態―
本発明の第３の実施の形態による動画撮影装置について図を用いて説明する。図５は、第３の実施の形態による動画撮影装置に関するブロック図である。図５に例示する動画撮影装置は、デジタルカメラであって、音声付動画を記録することができる。図５の第３の実施の形態のデジタルカメラ３の構成のうち、第１の実施の形態と同様の構成についてはその説明を省略する。
【００３９】
第３の実施の形態のデジタルカメラ３は、選択部４０の代わりに第３選択部６０を備える。第３選択部６０は、ＣＰＵ等を有し、制限モードスイッチ４１とカメラ姿勢検出部４２からの入力に基づいて、記憶制御部３０に入力する画像データの選択を行う。第３選択部６０は、第２モードのときの動作が選択部４０および第２選択部５０と異なる。すなわち、図３のステップＳ１０２およびステップＳ１０５に対応する動作が選択部４０および第２選択部５０と異なる。
【００４０】
第３の実施の形態のデジタルカメラ３は、デモ画像記憶部４３の代わりに、マスキング画像作成部６１とマスキング処理部６２とを備える。第３選択部６０は、制限モードスイッチ４１が操作されたときまたはカメラ姿勢検出部４２により所定のカメラ姿勢が検出されたとき、画像信号処理部１６に入力されたＲ，Ｇ，Ｂのデジタル信号を取得する。そして、第３選択部６０は、マスキング画像作成部６１にマスキング用の画像を作成させて、マスキング処理部６２にマスキング画像を被写体像の画像へ合成させる。第３選択部６０は、第２モードのとき、このマスキング処理後の画像データを、記憶制御部３０へ入力させる。
【００４１】
第３の実施の形態でも、第１モードと第２モードとが切り替わる前後で、被写体像の撮像や、記憶制御部３０への画像データおよび音声データの入力は中断することなく継続する。
【００４２】
―第４の実施の形態―
本発明の第４の実施の形態による動画撮影装置について図を用いて説明する。図６は、第４の実施の形態による動画撮影装置に関するブロック図である。図６に例示する動画撮影装置は、デジタルカメラであって、音声付動画を記録することができる。図６の第４の実施の形態のデジタルカメラ４の構成のうち、第１の実施の形態と同様の構成についてはその説明を省略する。
【００４３】
第４の実施の形態のデジタルカメラ４は、選択部４０の代わりに第４選択部７０を備える。第４選択部７０は、ＣＰＵ等を有し、制限モードスイッチ４１とカメラ姿勢検出部４２からの入力に基づいて、撮像部１０を制御して、撮像画面全体が一様な明るさの撮像信号を出力させる。たとえば、第４選択部７０は、撮像部１０の絞り１２の開口を即座に最小限まで絞るように制御し、全体が一様に真っ黒な撮像画面（撮像素子１３が被写体光束を受光していない状態）の撮像信号を撮像素子１３から出力させる。また、たとえば、第４選択部７０は、撮像部１０の撮像素子１３の感度を即座に最大になるように制御し、全体が一様に真っ白な撮像画面（撮像素子１３の撮像面全体が露出オーバーとなり、被写体像の諧調が失われた状態）の撮像信号を撮像素子１３から出力させる。
【００４４】
以上で説明した実施の形態によれば、以下の作用効果が得られる。
本発明による各実施の形態によるデジタルカメラ１〜４は、被写体像を撮像して画像データを取得する撮像部１０、画像用アンプ１４、画像用Ａ／Ｄ変換部１５、および画像信号処理部１６を備える。デジタルカメラ１〜４は、音声データを取得する音声検出部２０、音声用アンプ２１、音声用Ａ／Ｄ変換部２２、および音声信号処理部２３を備える。デジタルカメラ１〜４は、入力された画像データと入力された音声データとを関連付けて記録媒体３１へ記憶する記憶制御部３０を備える。
第１の実施の形態によるデジタルカメラ１は、デモ用画像の画像データを記憶するデモ画像記憶部４３を備える。選択部４０は、制限モードスイッチ４１等からの入力に基づいて、画像信号処理部１６から記憶制御部３０へ入力する画像データを、デモ用画像の画像データと撮像部１０の画像信号に基づく画像データとの中から選択する。
第２の実施の形態によるデジタルカメラ２は、顔画像検出部５１とモザイク処理部５２とを備える。第２選択部５０は、制限モードスイッチ４１等からの入力に基づいて、画像信号処理部１６から記憶制御部３０へ入力する画像データを、モザイク処理部５２によるモザイク処理後の画像データと、モザイク処理していない画像データとの中から選択する。
第３の実施の形態によるデジタルカメラ３は、マスキング画像作成部６１とマスキング処理部６２とを備える。第３選択部６０は、制限モードスイッチ４１等からの入力に基づいて、画像信号処理部１６から記憶制御部３０へ入力する画像データを、マスキング処理部６２によるマスキング処理後の画像データと、マスキング処理していない画像データとの中から選択する。
第４の実施の形態によるデジタルカメラ４は、第４選択部７０を備える。第４選択部７０は、制限モードスイッチ４１等からの入力に基づいて、撮像部１０の絞り１２の開口の大きさや撮像素子１３の感度を制御して、撮像部１０から撮像画面全体が一様な明るさに制御した画像信号（真っ白や真っ黒）と、通常の画像信号との中から選択する。
本発明による各実施の形態によるデジタルカメラ１〜４は、このような構成を有することにより、音声付動画像の撮影を行う際に、音声の録音を継続したまま、動画像のみに制限を加えることができる。
【００４５】
以上で説明した実施の形態は、以下のように変形して実施できる。
（変形例１）第１〜第４の実施の形態は、発明の特徴が損なわれない限り組み合わせて実行してもよい。たとえば、モザイク処理部５２により顔画像にモザイク処理を施した上で、さらにマスキング処理部６２によりマスキング用の画像を合成することにしてもよい。また、顔画像検出部５１が検出した顔画像を覆うようにマスキング画像作成部６１がマスキング用の画像を作成することにしてもよい。さらに、デモ画像記憶部４３に記憶されたデモ画像の画像データの一部を切り取ってマスキング画像作成部６１がマスキング用の画像を作成することにしてもよい。
【００４６】
（変形例２）選択部４０、第２選択部５０、第３選択部６０、第４選択部７０は、制限モードスイッチ４１およびカメラ姿勢検出部４２からの入力に基づいて、記憶制御部３０に入力する画像データの選択を行うこととした。しかし、選択部４０、第２選択部５０、第３選択部６０、第４選択部７０は、制限モードスイッチ４１およびカメラ姿勢検出部４２以外のものからの入力に基づいて、記憶制御部３０に入力する画像データの選択を行うことにしてもよい。たとえば、撮影禁止を表す入力信号を外部から無線通信等を用いて受信して、その入力信号に基づいて、記憶制御部３０に入力する画像データの選択を行うことにしてもよい。
【００４７】
以上で説明した実施の形態や変形例はあくまで例示に過ぎず、発明の特徴が損なわれない限り本発明はこれらの内容に限定されない。
【符号の説明】
【００４８】
１，２，３，４  デジタルカメラ
１０  撮像部
１１  撮影レンズ
１２  絞り
１３  撮像素子
１４  画像用アンプ
１５  画像用Ａ／Ｄ変換部
１６  画像信号処理部
２０  音声検出部
２１  音声用アンプ
２２  音声用Ａ／Ｄ変換部
２３  音声信号処理部
３０  記憶制御部
３１  記録媒体
４０  選択部
４１  制限モードスイッチ
４２  カメラ姿勢検出部
４３  デモ画像記憶部
５０  第２選択部
５１  顔画像検出部
５２  モザイク処理部
６０  第３選択部
６１  マスキング画像作成部
６２  マスキング処理部
７０  第４選択部
【図１】
2013207350.tif 000003
【図２】
2013207350.tif 000004
【図３】
2013207350.tif 000005
【図４】
2013207350.tif 000006
【図５】
2013207350.tif 000007
【図６】
2013207350.tif 000008